(57)【要約】 【課題】  容易に脱着でき、メンテナンスを容易に行える暦表示機能を有する時計を提供すること。【解決手段】  軸８１の小径部８１２を日車４１Ｂと日車４１Ａとに貫通させ、固定部材８２の凸部８２２を軸８１に圧入する。また、固定部材８２の突起８２３を日車４１Ａの嵌合孔４１２に嵌合させる。日車４１Ａ，４１Ｂを直接軸８１に圧入するのではなく、固定部材８２を軸８１に圧入して固定するので、固定部材８２を脱着することにより日車４１Ａ，４１Ｂを容易に脱着できる。これにより、日車４１Ａ，４１Ｂの分解、取付が簡便となるから、メンテナンスを容易に行える。【選択図】 図４
2006133195.tif 000002
【特許請求の範囲】
【請求項１】
時刻を表示する時刻表示手段を有する時計であって、
軸を中心に回動することで暦を表示する暦表示部材と、
前記軸に嵌合する嵌合孔が形成された固定部材とを備え、
前記固定部材および前記暦表示部材のいずれか一方には、突起が形成され、
いずれか他方には、前記突起が係合する係合孔が形成される
ことを特徴とする時計。
【請求項２】
請求項１に記載の時計において、
前記軸は、大径部および小径部を有し、
前記暦表示部材には、前記軸の前記小径部が貫通する孔が形成され、
前記固定部材の前記嵌合孔は、前記暦表示部材を挟んで前記大径部とは反対側で前記小径部と嵌合する
ことを特徴とする時計。
【請求項３】
請求項１または請求項２に記載の時計において、
前記突起および前記係合孔は、少なくとも二つ設けられ、前記軸の中心に対して非対称の位置に形成されている
ことを特徴とする時計。
【請求項４】
請求項１から請求項３のいずれかに記載の時計において、
前記突起は、前記係合孔に圧入される
ことを特徴とする時計。
【請求項５】
請求項１から請求項４のいずれかに記載の時計において、
前記暦表示部材は、円盤状に形成され、
前記軸の前記大径部との間には、前記暦表示部材とは径の異なる円盤状の別の暦表示部材が設けられ、
前記暦表示部材と前記別の暦表示部材とは互いに連動して動作する
ことを特徴とする時計。
【請求項６】
請求項１から請求項５のいずれかに記載の時計において、
前記嵌合孔が嵌合される前記小径部の部分の外周には、歯形形状の歯が形成され、
前記嵌合孔内周には前記歯に係合する突起が形成される
ことを特徴とする時計。
【発明の詳細な説明】
【技術分野】
【０００１】
本発明は、曜日や日にちなどを表示する暦表示機能を有する時計に関する。
【背景技術】
【０００２】
従来、暦表示機能を有する時計としては、曜日を表す曜板などの暦表示部材を有するものが知られている（例えば、特許文献１参照）。この時計では、曜板の内周に歯形形状の孔を形成し、この孔を曜星車に対してかしめや圧入することによって、曜板を曜星車に固定している。このような構成によれば、孔を曜星車にかしめる、または圧入するので、曜板を曜星車に確実に固定できる。また、歯形形状の孔の歯底部分がかしめや圧入の際の逃げとなって、曜板の変形が最小限に抑制される。
【０００３】
【特許文献１】特開平６−２５８４５８号公報（第３頁、第１図）
【発明の開示】
【発明が解決しようとする課題】
【０００４】
ところで、時計のメンテナンスや修理を行う際には、暦表示機能部分の曜板をも分解する必要が生じる場合がある。しかしながら、前述の特許文献１の時計では、曜板が曜星車にかしめられているため、曜板を曜星車から脱着できず、メンテナンスを行うことができない。また、曜板が曜星車に圧入されている構造では、曜板を曜星車から外す場合には、特殊な工具が必要となったり、曜板を外す際に曜板が変形しないように注意が必要となるなど、メンテナンスを容易に行えない。
【０００５】
本発明の目的は、容易に脱着でき、メンテナンスを容易にできる暦表示機能を有する時計を提供することである。
【課題を解決するための手段】
【０００６】
本発明の時計は、時刻を表示する時刻表示手段を有する時計であって、軸を中心に回動することで暦を表示する暦表示部材と、軸に嵌合する嵌合孔が形成された固定部材とを備え、固定部材および暦表示部材のいずれか一方には、突起が形成され、いずれか他方には、突起が係合する係合孔が形成されることを特徴とする。
この発明によれば、固定部材に嵌合孔が形成されているので、この嵌合孔が軸に嵌合することで、固定部材が軸に対して固定される。また、固定部材および暦表示部材のいずれか一方に突起が形成され、いずれか他方に係合孔が形成されているので、固定部材と暦表示部材とが連結される。したがって、軸を回動させると、固定部材が回動し、この回動に伴って暦表示部材が回動して暦を表示する。
【０００７】
暦表示部材を圧入するのではなく、暦表示部材とは別体の固定部材を設け、この固定部材と軸との間を圧入で固定しているので、固定部材の材料を暦表示部材とは別に設定できる。このため、例えば固定部材を弾性を有する部材で構成することが可能となり、軸に対しての脱着が容易となる。したがって、暦表示部材が容易に脱着可能となる。この場合に特別な工具を必要としないので、メンテナンス作業が容易となる。また、暦表示部材は、軸に対して圧入されないため、暦表示部材を脱着する際の変形などが防止される。
【０００８】
本発明では、軸は、大径部および小径部を有し、暦表示部材には、軸の小径部が貫通する孔が形成され、固定部材の嵌合孔は、暦表示部材を挟んで大径部とは反対側で小径部と嵌合することが望ましい。
この発明によれば、暦表示部材には孔が形成され、この孔には軸の小径部が貫通する。暦表示部材を挟んで大径部と反対側には、嵌合孔の内周が小径部に嵌合する固定部材が設けられる。これにより、暦表示部材は、軸の大径部と固定部材との間に挟持されるので、固定部材を軸に嵌合させるだけで暦表示部材が軸に取り付られるから、暦表示部材の取付構造が簡単となる。
【０００９】
本発明では、突起および係合孔は、少なくとも二つ設けられ、軸の中心に対して非対称の位置に形成されていることが望ましい。
この発明によれば、突起および係合孔が軸の中心に対して非対称の位置に形成されているので、固定部材と暦表示部材との取付の相対位置が決まるため、暦表示部材の軸に対する位相がずれるのが防止される。これにより、暦表示部材の暦が正しく表示され、また、暦表示部材の取付向きを間違えることがなくなるので、取付作業が容易となる。
【００１０】
本発明では、突起は、係合孔に圧入されることが望ましい。
この発明によれば、突起が係合孔に圧入されるので、固定部材と暦表示部材とが圧入によって固定される。これにより、固定部材と暦表示部材とがより確実に固定され、また、暦表示部材が回動する際のがたが除去されるので、暦表示部材の回動動作がスムーズとなる。
【００１１】
本発明では、暦表示部材は、円盤状に形成され、暦表示部材と軸の大径部との間には、暦表示部材とは径の異なる円盤状の別の暦表示部材が設けられ、暦表示部材と別の暦表示部材とは互いに連動して動作することが望ましい。
この発明によれば、暦表示部材と同軸上に別の暦表示部材が設けられ、これらが互いに連動して動作するので、例えば２種類の異なる暦の表示や、１種類でも２桁の暦の表示などが可能となる。これにより、表示できる暦の種類が多くなり、暦表示機能の汎用性が向上する。また、暦表示部材と別の暦表示部材とがともに小径部に設けられて同軸上に配置されているので、省スペース化が促進される。
【００１２】
本発明では、嵌合孔が嵌合される小径部の部分の外周には、歯形形状の歯が形成され、嵌合孔内周には歯に係合する突起が形成されることが望ましい。
この発明によれば、小径部の外周に歯が形成され、嵌合孔内周に突起が形成されるので、固定部材を軸に嵌合させる際には、突起が歯に係合する。したがって、軸に対して固定部材が回動するのが防止され、固定部材によって位相決めされた暦表示部材の回動も防止される。これにより、暦表示部材がより確実に固定される。
【発明の効果】
【００１３】
本発明の時計によれば、固定部材を軸に圧入するとともに、固定部材および暦表示部材に形成される係合孔および突起で固定部材と暦表示部材とを接続して暦表示部材と軸とを連結するので、固定部材を脱着することで暦表示部材を容易に脱着でき、メンテナンスを容易に行えるという効果が得られる。
【発明を実施するための最良の形態】
【００１４】
以下、本発明の一実施形態を図面に基づいて説明する。
図１には、本実施形態にかかる時計１の平面図が示されている。この図１に示されるように、時計１は、時計本体部１Ａと、この時計本体部１Ａに連結されたバンド１Ｂとを備えた腕時計である。時計本体部１Ａは、ケース２と、ケース２に設けられた円盤状の文字板２１とを備え、この文字板２１の上面には、秒針３１、分針３２、および時針３３からなる指針３が設けられている。文字板２１には、その円周に沿って時刻を示す数字や記号、文字などが等間隔に配置されており、各指針が指し示す数字や記号、文字などにより現在時刻が表示される。したがって、文字板２１と指針３とを備えて本発明の時刻表示手段が構成されている。
【００１５】
また、時計１は、暦の「日」を示す日表示機構４、暦の２４時間表示での「時間」を示す２４時表示機構５、暦の「月」を示す月表示機構６、および暦の「年」を示す年表示機構７とを有する暦表示機構４０を備えている。
日表示機構４は、文字板２１上の１２時方向に配置された略矩形状にくりぬかれた日表示窓２２と、ケース２内部に収納された暦表示部材および別の暦表示部材としての日車４１Ａ，４１Ｂとを備えている。日表示窓２２の内側からは、日車４１Ａ，４１Ｂの一部が露出しており、これらの日車４１Ａ，４１Ｂによって表示された「１」から「３１」までのいずれか１つの数字によって暦の「日」が表示される。
【００１６】
２４時表示機構５は、文字板２１上の４時方向に配置されて円形に形成された２４時表示部２３と、文字板２１を貫通して設けられる指針５１とを備えている。２４時表示部２３には、その円周に沿って２４等分された時刻を示す記号や文字、数字などが等間隔に配置されており、指針５１が指し示す記号、文字、数字などによって２４時間表示での「時間」が示される。
月表示機構６は、文字板２１上の６時方向に配置されて円形に形成された月表示部２４と、文字板２１を貫通して設けられる指針６１とを備えている。月表示部２４には、その円周に沿って暦の「月」を示す、例えば「ＪＡＮ」（１月を示す）から「ＤＥＣ」（１２月を示す）まで記号（文字）が等間隔に配置されており、指針６１が指し示す文字によって暦の「月」が表示される。
年表示機構７は、文字板２１上の８時方向に配置されて円形に表示された年表示部２５と、文字板２１を貫通して設けられる指針７１とを備えている。年表示部２５には、その円周に沿って「０」から「３」までの数字が等間隔に表示されており、指針７１が指し示す数字によって、「０」であればその年が閏年であることが表示され、「１」、「２」、および「３」のいずれかであればその年が閏年からそれぞれ何年目であるかが表示される。
【００１７】
図２は、時計１の内部の暦表示機構４０を示す平面図である。この図２に示されるように、暦表示機構４０の２４時表示機構５は、指針３の駆動機構（図示せず）に接続され、時針３３が固定される筒車３４に一体的に形成された筒車体５２と、筒車体５２に２４時検出車５３を介して噛合する２４時車５４とを備えている。２４時車５４には、前述の指針５１が固定されている。ぜんまいや電池からのエネルギによって駆動機構が指針３を駆動すると、時針３３の回動に伴って筒車３４が回動する。この回動運動は筒車体５２および２４時検出車５３を介して２４時車５４に伝達され、これにより指針５１が回動して２４時表示の時刻を表示する。
【００１８】
暦表示機構４０のうち、日表示機構４、月表示機構６、および年表示機構７は、共通の駆動源によって駆動され、駆動源としての圧電アクチュエータ４２と、圧電アクチュエータ４２によって回転する圧電ロータ４２Ａと、圧電ロータ４２Ａの回転運動を伝達する輪列４３と、輪列４３に噛合される制御車４４とを備えている。
圧電アクチュエータ４２は、振動子である圧電素子を備え、この圧電素子の振動により圧電ロータ４２Ａの外周を突っつき、これによって圧電ロータ４２Ａを回転させる。圧電ロータ４２Ａには、輪列４３に噛合するロータかな４２Ｂが一体的に形成されており、圧電ロータ４２Ａの回転はロータかな４２Ｂを介して輪列４３に伝達される。
輪列４３は、増速比が適切に設定され、圧電ロータ４２Ａの回転運動を適宜増速して制御車４４に伝達する。
制御車４４は、同軸上に３つの爪車を備えている。これらの爪車は、その周方向に互いに数が異なる送り爪を備えて構成されている。
【００１９】
暦表示機構４０の月表示機構６は、制御車４４の爪車の１つに噛合する月表示用輪列６２と、この月表示用輪列６２に噛合する月車６３とを備えている。月車６３には、前述の指針６１が固定されている。制御車４４の回転に伴って送り爪が回転して月表示用輪列６２を回動させると、月車６３が回動して指針６１が回動する。
暦表示機構４０の年表示機構７は、月表示用輪列６２の１つに噛合する年表示用輪列７２と、年表示用輪列７２に噛合する年車７３とを備えている。年車７３には前述の指針７１が固定されている。月表示用輪列６２が回動すると、この回動運動が年表示用輪列７２を介して年車７３に伝達され、指針７１が回動する。
暦表示機構４０の日表示機構４は、制御車４４の２つの送り爪にそれぞれ噛合する日回し車４５，４６と、日回し車４５に噛合する前述の日車４１Ａと、日回し車４６に噛合する前述の日車４１Ｂとを備えている。
制御車４４が回動すると、２つの送り爪によってそれぞれ日回し車４５，４６が回動し、日車４１Ａ，４１Ｂが回動する。
【００２０】
図３には、日車４１Ａ，４１Ｂの側断面図が示されている。また、図４には、日車４１Ａ，４１Ｂの固定構造を示す分解斜視図が示されている。これらの図３および図４に示されるように、日車４１Ａ，４１Ｂは同軸上に配置され、日車４１Ａ，４１Ｂを貫通する軸８１と、軸８１に嵌合する固定部材８２との間に固定されている。
【００２１】
日車４１Ａは、円盤状に形成され、その中心に軸８１が貫通する孔４１１が形成されている。日車４１Ａの表面（文字板２１に対向する面）には、孔４１１の周囲に「０」から「３」の数字が印刷などにより表示されており、これらはそれぞれ暦の「日」の１０の位の数に相当する。これらの数字のうちいずれかが文字板２１の日表示窓２２から視認可能となることで、「日」の１０の位の数が表示される。
【００２２】
一方、日車４１Ｂは、日車４１Ａよりも大きな径の円盤状に形成され、日車４１Ｂの裏側（日車４１Ｂよりも文字板２１に遠い側）に配置されている。日車４１Ｂにおいて、日車４１Ａよりも外周側には、厚み方向に折れ曲がった段差部４２１が形成されており、この段差部４２１により、日車４１Ａより径が大きい環状部４２２は、文字板２１側に近接して配置されている。このときこの環状部４２２の表面は、日車４１Ａの表面とほぼ同一平面上に配置されている。環状部４２２には、周に沿って「０」から「９」の数字が印刷などにより表示されており、これらはそれぞれ暦の「日」の１の位の数に相当する。これらの数字のうちいずれかが文字板２１の日表示窓２２から視認可能となることで、「日」の１の位の数が表示される。
【００２３】
日車４１Ｂの中心には、歯形形状の孔４２３が形成されている。この歯形形状の孔４２３内周には、歯車８３が噛合される。この歯車８３は、孔４２３内周が噛合される部分よりも文字板２１から遠い側において、日回し車４６に噛合されている。このとき、日回し車４６の一端は、地板１１に回転可能に固定されており、また他端は日車４１Ｂに接触している。この日回し車４６によって日車４１Ｂが高さ方向（図３において上下方向）に位置決めされている。歯車８３は、中心に孔８３１が形成され、この孔８３１には軸８１が貫通している。したがって、日車４１Ｂは、歯車８３を介して軸８１に対して回転可能に支持されている。
【００２４】
歯車８３よりも文字板２１に遠い側（地板１１側）には、略円筒状のスペーサ８４が設けられている。このスペーサ８４の内周８４１には軸８１が貫通している。スペーサ８４は、地板１１と歯車８３との間に介装され、歯車８３の高さ方向の位置決めをする。
軸８１は、大径部８１１と小径部８１２とを有する段差付きの略円筒形に形成されている。大径部８１１および小径部８１２の外周は、それぞれ歯形形状に形成されており、大径部８１１は日回し車４５に噛合している。なお、日回し車４５は、スペーサ８４に形成された切欠部８４３に収納され、スペーサ８４と地板１１との間に回転可能に挟持されている。
【００２５】
大径部８１１は、スペーサ８４の地板１１側の端部に形成された凹状部８４４に収納されている。このとき、大径部８１１の径寸法は、スペーサ８４の内周８４１の径寸法よりも大きいので、軸８１がスペーサ８４から抜け落ちることがない。
小径部８１２は、スペーサ８４の内周８４１、歯車８３の孔８３１、および日車４１Ａの孔４１１を貫通して文字板２１側に突出している。
軸８１の内周には、ピン８５が貫通している。ピン８５は一端に大径部８５１を有し、この大径部８５１は、地板１１側に配置されている。ピン８５の他端は軸８１の端面から所定寸法突出しており、このピン８５の端面が文字板２１の高さ位置を決定する位置決め部材としての機能を果たしている。
【００２６】
図５には、固定部材８２の平面図が示されている。この図５に示されるように、固定部材８２は、略楕円形板状に形成されている。固定部材８２は、プラスチックなどの弾性を有する材料で構成されている。固定部材８２の略中央には、軸８１の小径部８１２が貫通する孔８２１が形成されている。孔８２１の内周には、等間隔に複数（本実施形態では３つ）の略半円形の凸部８２２が形成されている。これらの凸部８２２が軸８１の小径部８１２の歯形形状に係合し、凸部８２２が歯形形状の歯谷に圧入されることにより、固定部材８２が軸８１対して固定される。したがって、日車４１Ａは、軸８１の小径部８１２が貫通し、大径部８１１と固定部材８２との間に配置される。また、日車４１Ｂは、日車４１Ａと大径部８１１との間に配置され、固定部材８２に固定された日車４１Ａとスペーサ８４との間に挟持されている。
ここで、凸部８２２の軸８１に対する圧入力、つまり固定部材８２の軸８１に対する固定力は、時計１を日車４１Ａが日車４１Ｂの鉛直方向下となるような向きに配置したときに、日車４１Ａおよび日車４１Ｂの自重を支えることができる程度に設定されていればよい。
【００２７】
また、固定部材８２において、孔８２１の周囲には、孔８２１の中心から等距離の位置に、略円柱状の突起８２３が複数個（本実施形態では２個）形成されている。これらの突起８２３は、固定部材８２が軸８１に圧入された際に、地板１１に近い側の面に配置される。つまり、突起８２３は、固定部材８２が軸８１に圧入された際には、日車４１Ａに対向する面側に配置される。
図６には、日車４１Ａの平面図が示されている。この図６に示されるように、日車４１Ａには、突起８２３に対応する位置に、突起８２３がそれぞれ嵌合する嵌合孔４１２が形成されている。
【００２８】
ここで、図５および図６に示されるように、固定部材８２の突起８２３および日車４１Ａの嵌合孔４１２は、孔８２１および孔４１１の中心に対してそれぞれ非対称の位置に形成されている。つまり、固定部材８２において、２つの突起８２３を結ぶ線は孔８２１の中心を通らず、一方の突起８２３と孔８２１の中心とを結ぶ線と、他方の突起８２３と孔８２１の中心とを結ぶ線とがなす角度αは、０°より大きく設定されている。また、日車４１Ａの嵌合孔４１２についても同様に、２つの嵌合孔４１２を結ぶ線は孔４１１の中心を通らず、一方の嵌合孔４１２の中心と孔４１１の中心とを結ぶ線と、他方の嵌合孔４１２の中心と孔４１１の中心とを結ぶ線とがなす角度βは、０°より大きく設定されている。
【００２９】
これらの突起８２３が嵌合孔４１２に嵌合されることにより、日車４１Ａは、突起８２３および嵌合孔４１２の部分により固定部材８２に固定され、また固定部材８２は、孔８２１の凸部８２２が軸８１の小径部に圧入されることにより、固定部材８２が軸８１に固定されている。したがって、軸８１の大径部８１１が日回し車４５の回動によって回動すると、小径部８１２に固定された固定部材８２も回動する。固定部材８２の回動により、日車４１Ａが回動する。日車４１Ａの回動により、日表示窓２２から視認可能となる数字が変更され、暦の「日」の１０の位の数字が変更される。
また、日回し車４６が回動すると、歯車８３が軸８１に対して回動し、日車４１Ｂが回動する。日車４１Ｂの回動により、日表示窓２２から視認可能な数字が変更され、暦の「日」の１の位の数字が変更される。
【００３０】
時計１のメンテナンスなどで日車４１Ａ，４１Ｂを外す必要がある場合には、ピンセットや手で固定部材８２を外す。このとき、日車４１Ａ，４１Ｂを分解する前に予め暦が閏年の１月１日になるように歯車の位相を合わせておく。固定部材８２は突起８２３が嵌合孔４１２に嵌合し、凸部８２２が小径部８１２に嵌合し（圧入され）ているが、固定部材８２がある程度弾性を有する材料で構成されているため、突起８２３および凸部８２２が多少撓み、固定部材８２を日車４１Ａおよび軸８１から簡単に外すことができる。
また、日車４１Ａ，４１Ｂを取り付ける際には、日車４１Ｂを歯車８３とともに軸８１に貫通させ、さらに日車４１Ａを軸８１に貫通させる。このとき、日表示窓２２から表示される数字が日車４１Ｂでは「１」、日車４１Ａでは「０」となるように位置合わせ（位相合わせ）をする。その後、固定部材８２を軸８１および日車４１Ａに押しつけることによって、固定部材８２の凸部８２２を軸８１の小径部８１２に圧入し、固定部材８２の突起８２３を嵌合孔４１２に圧入する。
【００３１】
本実施形態によれば、次のような効果が得られる。
(１) 固定部材８２が軸８１に圧入されることで軸８１と固定部材８２とが固定されて日車４１Ａ、４１Ｂが取り付けられるので、固定部材８２を軸８１から脱着することで、日車４１Ａ，４１Ｂを簡単に脱着できる。この際、日車４１Ａ，４１Ｂは軸８１に圧入されないので、取り外し、取付の際に日車４１Ａ，４１Ｂが変形するのを防止できるから、メンテナンスを容易にできる。
【００３２】
(２) 固定部材８２が弾性を有する材料で構成されているので、脱着を繰り返しても凸部８２２や突起８２３の変形を防止できる。よって、固定部材８２の固定力を長期間にわたって保持できる。時計１の日車４１Ａ，４１Ｂは一部が日表示窓２２から視認可能となるため、高級感ある外観を要求される場合があり、金属材料を使用する必要があるなど、材料が制限されることがある。しかしながら、本実施形態の時計１では、固定部材８２で日車４１Ａ，４１Ｂを固定するので、固定部材８２の材料を圧入による固定に適したものを採用できる。したがって、日車４１Ａ，４１Ｂに自由な材料を選定しながら軸８１への十分な固定力を確保できる。
また、繰り返しの脱着によって固定部材８２の固定力が弱くなった場合でも、日車４１Ａ，４１Ｂを交換する必要がなく、固定部材８２のみを交換すればよいので、交換部品を最小限に抑制できるとともに、交換費用を最小限に抑制できる。
【００３３】
(３) 突起８２３および嵌合孔４１２が孔８２１および孔４１１の中心に対して非対称の位置に形成されているので、固定部材８２に対する日車４１Ａの位置が決定される。つまり、固定部材８２を１８０°異なる向きで日車４１Ａに嵌合させようとすると、突起８２３と嵌合孔４１２との位置が合わないため、取り付けることができない。日車４１Ａ，４１Ｂは、日回し車４５，４６や制御車４４に噛合するため、正しい暦表示を行うためには位相を合わせる必要がある。本実施形態の固定部材８２および日車４１Ａでは、突起８２３および嵌合孔４１２が非対称の位置に形成されているので、日車４１Ａを間違った位相で取り付けるのを防止できる。これにより、日車４１Ａの取付作業を簡単にできる。
【００３４】
(４) 突起８２３が嵌合孔４１２に嵌合することで日車４１Ａを固定部材８２に固定するので、両者の間の固定構造をより強固にでき、両者のがたを除去できる。したがって、固定部材８２の回動によって日車４１Ａが回動する場合にも、日車４１Ａの回動動作をスムーズにできる。
【００３５】
(５) 軸８１の小径部８１２が歯形形状に形成されており、固定部材８２の孔８２１には凸部８２２が形成されているので、凸部８２２が軸８１の歯形形状に係合し、凸部８２２が歯形形状の歯の谷の部分に圧入される。したがって、固定部材８２の軸８１に対する滑りを防止できる。つまり、軸８１の歯形形状および固定部材８２の凸部８２２によって固定部材８２の回り留めの機能を果たすことができる。
【００３６】
(６) 日車４１Ａ，４１Ｂが同軸上に設けられ、１の位および１０の位の数字を表示することで互いに連動して暦の「日」を表示するので、１枚の日車の円周に沿って「１」から「３１」までの数字を表示する場合に比べて日表示機構４を小さく構成できる。
【００３７】
なお、本発明は前述の実施形態に限定されるものではなく、本発明の目的を達成できる範囲での変形、改良等は本発明に含まれるものである。
暦表示部材および別の暦表示部材は、同軸上に設けられていなくてもよく、例えば同じ平面上に隣接して設けられていてもよい。また、暦表示部材および別の暦表示部材は、互いに連動して２桁の「日」の暦を表示するものに限らず、その他例えば「日」と「曜日」、「月」と「日」、「年」と「月」など、任意の暦の組み合わせを表示するものであってよい。
さらに、暦表示部材は、二つ設けられるものに限らず、一つであっても、三つ以上であってもよい。
【００３８】
前記実施形態では、突起８２３は固定部材８２に形成され、嵌合孔４１２は日車４１Ａに形成されていたが、これに限らず例えば突起が暦表示部材に設けられ、嵌合孔が固定部材に形成されていてもよい。
係合孔は、突起が嵌合する嵌合孔に限らず、単に係合するだけの係合孔であってもよい。また、突起および係合孔は二つ設けられているものに限らず、一つであってもよく、また三つ以上であってもよい。
固定部材の材料は、弾性を有するものに限らず、任意の材料を採用できる。
軸は、大径部および小径部を有するものに限らず、例えば同一径寸法の円柱状に形成され、軸の一方の端部側に固定部材を配置し、他方の端部側に暦表示部材の孔よりも大径の部材を配置して、この部材と固定部材との間で暦表示部材を挟持してもよい。
【００３９】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４０】
【図１】本発明の一実施形態にかかる時計を示す平面図。
【図２】本発明の一実施形態にかかる時計の内部を示す平面図。
【図３】時計の一部側断面図。
【図４】時計の暦表示機構を示す分解斜視図。
【図５】時計の固定部材を示す平面図。
【図６】時計の暦表示部材を示す平面図。
【符号の説明】
【００４１】
１…時計、４…日表示機構、５…２４時表示機構、６…月表示機構、７…年表示機構、４０…暦表示機構、４１Ａ…日車（暦表示部材）、４１Ｂ…日車（別の暦表示部材）、８１…軸、８２…固定部材、４１１…孔、４１２…嵌合孔（係合孔）、８１１…大径部、８１２…小径部、８２１…孔、８２２…凸部（圧入部）、８２３…突起。
【図１】
2006133195.tif 000003
【図２】
2006133195.tif 000004
【図３】
2006133195.tif 000005
【図４】
2006133195.tif 000006
【図５】
2006133195.tif 000007
【図６】
2006133195.tif 000008